(57)【特許請求の範囲】
【請求項１】
移動通信システムの端末機におけるページング情報の復調方法であって、
制御チャネル及び無線資源チャネルを含む物理階層フレームを受信するステップを含み、
基地局でページング情報が生成される場合には、前記ページング情報を含むページングチャネル及びユーザデータ伝送のための下向きリンク共有チャネル（ＤＬ−ＳＣＨ）が前記無線資源チャネルにマッピングされ、
前記復調方法は、
前記制御チャンネルを介して伝送される、前記ページングチャネルの存在を示す所定の識別子を検出するステップと、
前記制御チャネルで前記ページングチャネルに対する無線資源の割り当て情報を検出するステップと、
前記無線資源の割り当て情報によって表示される前記ページングチャネル上の前記ページング情報を復調するステップとをさらに含み、
基地局でページング情報が生成されない場合には、前記下向きリンク共有チャネルが前記無線資源チャネルにマッピングされ、
前記ページングチャネル及び前記下向きリンク共有チャネルは、トランスポートチャネルであり、前記制御チャネル及び前記無線資源チャネルは、物理チャネルであり、
前記識別子が、スケジューリング識別子のうち、一部を予約割当して使用し、
前記識別子は、端末機または端末機グループを区分するために付与され、前記ページング情報の伝送を示すために予約割り当てをする識別子であることを特徴とするページング情報の復調方法。
【請求項２】
前記端末機が、低電力消耗のためのＤＲＸ（Discontinuous Reception）動作を行うことを特徴とする請求項１に記載のページング情報の復調方法。
【請求項３】
前記端末機が、ＤＲＸ周期によって前記制御チャネル上に前記識別子が存在するか否かをモニタリングすることを特徴とする請求項１に記載のページング情報の復調方法。
【請求項４】
前記ページングチャネルに対する無線資源が、前記ページング情報の生成の有無によってフレキシブルに割り当てられることを特徴とする請求項１に記載のページング情報の復調方法。
【請求項５】
前記識別子が、前記ページング情報の生成の有無によって存在するか、存在しないことを特徴とする請求項１に記載のページング情報の復調方法。
【請求項６】
前記端末機が、休止状態であることを特徴とする請求項１に記載のページング情報の復調方法。
【請求項７】
前記端末機が、ＲＲＣ＿Ｃｏｎｎｅｃｔｅｄ状態であることを特徴とする請求項１に記載のページング情報の復調方法。
【請求項８】
前記端末機が、ＲＲＣ＿ｉｄｌｅ状態であることを特徴とする請求項１に記載のページング情報の復調方法。
【請求項９】
前記スケジューリング識別子が、ＲＮＴＩ（Radio Network Temporary Identifiers）であることを特徴とする請求項１に記載のページング情報の復調方法。
【請求項１０】
移動通信システムの基地局におけるページング情報の伝送方法であって、
ページング情報が生成される場合には、
前記ページング情報を含むページングチャネル及びユーザデータ伝送のための下向きリンク共有チャネル（ＤＬ−ＳＣＨ）を無線資源チャネルにマッピングするステップと、
制御チャネル及び前記無線資源チャネルを含む物理階層フレームを構成するステップと、
前記物理階層フレームを端末機に伝送するステップとを含み、
前記ページングチャネルの存在を示す所定の識別子は、前記制御チャネルを介して伝送され、前記制御チャネルは、前記ページングチャネルに対する無線資源の割り当て情報を含み、
ページング情報が生成されない場合には、前記下向きリンク共有チャネルを前記無線資源チャネルにマッピングし、
前記ページングチャネル及び前記下向きリンク共有チャネルは、トランスポートチャネルであり、前記制御チャネル及び前記無線資源チャネルは、物理チャネルであり、
前記識別子が、スケジューリング識別子のうち、一部を予約割当して使用し、
前記識別子は、端末機または端末機グループを区分するために付与され、前記ページング情報の伝送を示すために予約割り当てをする識別子であることを特徴とするページング情報の伝送方法。
【請求項１１】
前記端末機が、低電力消耗のためのＤＲＸ（Discontinuous Reception）動作を行うことを特徴とする請求項１０に記載のページング情報の伝送方法。
【請求項１２】
前記端末機が、ＤＲＸ周期によって前記制御チャネル上に前記識別子が存在するか否かをモニタリングすることを特徴とする請求項１０に記載のページング情報の伝送方法。
【請求項１３】
前記ページングチャネルに対する無線資源が、前記ページング情報の生成の有無によってフレキシブルに割り当てられることを特徴とする請求項１０に記載のページング情報の伝送方法。
【請求項１４】
前記識別子が、前記ページング情報の生成の有無によって存在するか、存在しないことを特徴とする請求項１０に記載のページング情報の伝送方法。
【請求項１５】
前記端末機が、休止状態であることを特徴とする請求項１０に記載のページング情報の伝送方法。
【請求項１６】
前記端末機が、ＲＲＣ＿Ｃｏｎｎｅｃｔｅｄ状態であることを特徴とする請求項１０に記載のページング情報の伝送方法。
【請求項１７】
前記端末機が、ＲＲＣ＿Ｉｄｌｅ状態であることを特徴とする請求項１０に記載のページング情報の伝送方法。
【請求項１８】
前記スケジューリング識別子が、ＲＮＴＩ（Radio Network Temporary Identifiers）であることを特徴とする請求項１０に記載のページング情報の伝送方法。
【発明の詳細な説明】
【技術分野】
【０００１】
本発明は、移動通信システムにおけるページング情報の伝送方法に関し、更に詳しくは、パケットサービスの提供のための移動通信システムにおいて、基地局から端末機へのダウンリンク情報の発生を知らせる情報を伝送するための方法に関する。
【背景技術】
【０００２】
従来の移動通信システムにおいては、ページング情報の伝送のために、固定されたトランスポートチャネル及び物理チャネルを割り当てて運用した。特に、ＷＣＤＭＡ方式の３ＧＰＰシステムにおけるページングチャネル（ＰＣＨ；Ｐａｇｉｎｇ  Ｃｈａｎｎｅｌ）は、トランスポートチャネル(ｔｒａｎｓｐｏｒｔ  ｃｈａｎｎｅｌ)であって、共通制御情報を伝送するための物理階層チャネルであるＳ−ＣＣＰＣＨを介して伝送された。前記Ｓ−ＣＣＰＣＨには、ページングチャネルと類似した属性を有するトランスポートチャネルであるＰＡＣＨ(Ｆｏｒｗａｒｄ  Ａｃｃｅｓｓ  Ｃｈａｎｎｅｌ)及びページングチャネルがマッピングされ得る。
【０００３】
このような従来のＷＣＤＭＡシステムにおいては、無線資源の割り当てが直交性(ｏｒｔｈｏｇｏｎａｌｉｔｙ）を有するＯＶＥＦ(Ｏｒｔｈｏｇｏｎａｌ  Ｖａｒｉａｂｌｅ  Ｓｐｒｅａｄｉｎｇ  Ｆａｃｔｏｒ）のコードであるインデックスを割り当てることによって行われる。したがって、Ｓ−ＣＣＰＣＨのために別途のＯＶＳＦコードインデックスが割り当てられ、Ｓ−ＣＣＰＣＨに割り当てられたＯＶＳＦコードインデックスは、他の物理階層のチャネルが使用したり共有することができない。したがって、任意の時間にトランスポートチャネルであるＰＣＨ及びＦＡＣＨを用いて、基地局から端末機に伝達する情報がないときにも物理階層チャネルであるＳ−ＣＣＰＣＨは存在し、Ｓ−ＣＣＰＣＨには伝達されない情報がない状態であってもＯＶＳＦコードインデックス及び別の無線資源である電力が割り当てられることで、無線資源が浪費される問題点がある。
【０００４】
一般的なページングの手順は次の通りである。端末機は、システムにおいて効率的なページングの手順のために定義した、特定のページンググループに属する。したがって、基地局は、物理階層チャネルであるＰＩＣＨ（Ｐａｇｉｎｇ  Ｉｎｄｉｃａｔｉｏｎ  Ｃｈａｎｎｅｌ）を介して該当グループに属した端末機に、ページングメッセージがあることを知らせる。端末機は定められた周期ごとにＰＩＣＨをモニタリングする。次に、モニタリングの結果、自体が属したグループに該当するインディケーション(Ｉｎｄｉｃａｔｉｏｎ)情報がＰＩＣＨに存在することが検知されると、Ｓ−ＣＣＰＣＨチャネルに伝送されたＰＣＨチャネル情報を検索して、自体を表す識別子であるＩＭＳＩ(Ｉｎｔｅｒｎａｔｉｏｎａｌ  Ｍｏｂｉｌｅ  Ｓｕｂｓｃｒｉｂｅｒ  Ｉｄｅｎｔｉｔｙ)、ＴＭＳＩ(Ｔｅｍｐｏｒａｒｙ  Ｍｏｂｉｌｅ  Ｓｕｂｓｃｒｉｂｅｒ  Ｉｄｅｎｔｉｔｙ)、Ｕ−ＲＮＴＩ(ＵＭＴＳ  Ｔｅｒｒｅｓｔｒｉａｌ  Ｒａｄｉｏ  Ａｃｃｅｓｓ  Ｎｅｔｗｏｒｋ−Ｒａｄｉｏ  Ｎｅｔｗｏｒｋ    Ｔｅｍｐｏｒａｒｙ  Ｉｄｅｎｔｉｆｉｅｒ)などが存在するページング情報を復調する。ページング情報を復調した端末機は、ページング情報に対応する後続の手順を行う。
【０００５】
また、基地局の環境及び基地局における加入者の収容量にともなうページング能力を確保するために、Ｓ−ＣＣＰＣＨは多数個を運用し得、これはセル別(ｃｅｌｌ  ｓｐｅｃｉｆｉｃ)パラメータを用いて基地局が設置されると、ほとんど固定的に運用される。このように、常に最大の収容量を考慮して固定的に運用される無線資源の割り当て方法は、回線ベースのシステムにおける安定的にシステム運用ができる長所がある一方、限定された無線資源を浪費する問題点がある。
【０００６】
一方、多様なパケットサービスを提供するために、現在３ＧＰＰにおいて標準作業が行われているＬＴＥ(Ｌｏｎｇ  Ｔｅｒｍ  Ｅｖｏｌｕｔｉｏｎ)システムはパケットベースのシステムであって、純粋なパケットサービスの提供を目的とする。したがって、バースト特性を有するパケットサービスを提供するためのＬＴＥシステムにおいては、より効率的で可変的な無線資源の活用方法が模索されており、このために従来のＷＣＤＭＡ方式で運用されていた様々な種類のトランスポートチャネルを、属性にしたがって単純化して統合するための研究が進んでいる。
【発明の開示】
【発明が解決しようとする課題】
【０００７】
本発明は前記のような問題点を解決するために提案されたもので、パケット伝送のための移動通信システムにおける基地局から端末機へのダウンリンク情報伝送の開始を知らせるための情報を伝送するために、トランスポートチャネル及び物理チャネルの設定並びにマッピングを可変的かつフレキシブルに運用することによって、限定された無線資源の活用度を向上させることのできるページング情報の伝送方法を提供することにその目的がある。
【０００８】
本発明の他の目的及び長所は、下記の説明によって理解することができ、本発明の実施例によって一層明らかに理解することができるだろう。また、本発明の目的及び長所は、特許請求の範囲に示した手段及びその組合せによって実現できることを容易に理解することができる。
【課題を解決するための手段】
【０００９】
前記の目的を達成するための本発明は、移動通信システムにおけるページング情報の伝送方法であって、ページング情報の発生に相応して、トランスポートチャネルにページングチャネル（ＰＣＨ）を構成するステップと、前記ページング情報によってページングインディケーションチャネル（ＰＩＣＨ)を設定し、物理階層の無線資源に前記ＰＩＣＨを構成するステップと、前記ＰＣＨを物理階層の無線資源に割り当てるステップとを含むことを特徴とする。
【００１０】
また、本発明は、移動通信システムにおけるページング情報の伝送方法であって、ページング情報の発生に相応して、ページングメッセージ（Ｐ−ＭＳＧ）で構成されたページングチャネル（ＰＣＨ）を生成するステップと、前記ページングメッセージを物理チャネルの無線資源に割り当てるステップと、前記ページングメッセージに相応するスケジューリング情報を生成するステップと、前記スケジューリング情報を物理階層の制御チャネルに割り当てるステップとを含むことを特徴とする。
【発明の効果】
【００１１】
前記のような本発明は、パケット伝送のための移動通信システムにおける基地局から端末機に情報伝送の開始を知らせるための情報伝送の運用方法において、トランスポートチャネル及び物理チャネルの設定並びにマッピングを可変的かつフレキシブルに運用することによって、限定された無線資源の活用度を向上させることができる効果がある。
【００１２】
また、本発明は、パケットベースの移動通信システムにおいて、基地局から端末機へのダウンリンクの情報伝送を開始(ｉｎｉｔｉａｔｉｏｎ)または再開始(ｒｅｓｔａｒｔ)するために、ダウンリンク情報の発生を知らせるための手順を可変的に動作可能にすることよって、限定された無線資源の活用を極大化することができる効果がある。
【発明を実施するための最良の形態】
【００１３】
前述した目的、特徴及び長所は、添付の図面と関連した次の詳細な説明によって更に明確になり、それにしたがって本発明が属する技術分野における通常の知識を有する者が本発明の技術的な思想を容易に実施できるであろう。また、本発明を説明するにあたって、本発明と関連した公知の技術に対する具体的な説明が、本発明の要旨を不明確にすると判断される場合には、その詳細な説明を省略することにする。以下、本発明が適用されるパケットサービスを提供するための移動通信システムの技術概要を簡単に説明した後、添付された図面を参照して本発明に係る好ましい一実施例を詳細に説明する。
【００１４】
パケットサービスのための移動通信システムは、回線サービスとは異なり、パケットサービスデータのバースト特性を考慮し、基地局と端末機との間の無線資源を共有(ｓｈａｒｉｎｇ)することによって、限定された無線資源の活用度を最大化する。パケットサービスのための移動通信システムであって、現在標準化の作業が進行中である３ＧＰＰ  ＬＴＥ(Ｌｏｎｇ  Ｔｅｒｍ  Ｅｖｏｌｕｔｉｏｎ)システムは、１．２５ＭＨｚから２０ＭＨｚの帯域幅の帯域幅拡張性(Ｂａｎｄｗｉｄｔｈ  Ｓｃａｌａｂｉｌｉｔｙ)を支援すべきであり、通常のシステムの設計としては、５ＭＨｚ、１０ＭＨｚ、２０ＭＨｚの帯域幅に対する拡張性を仮定する。
【００１５】
既存のページング情報は、低電力消費の動作中である休止状態(ｉｄｌｅ  ｓｔａｔｅ)である端末機にはページングチャネルを用いて伝達され、サービス中である端末機には、設定された専用チャネル(ｄｅｄｉｃａｔｅｄ  ｃｈａｎｎｅｌ）を用いて伝達されていた。ＬＴＥシステムでは、端末機をＲＲＣ(Ｒａｄｉｏ  Ｒｅｓｏｕｒｃｅ  Ｃｏｎｔｒｏｌ)及びＭＡＣ(Ｍｅｄｉｕｍ  Ａｃｃｅｓｓ  Ｃｏｎｔｒｏｌ)の観点から次のような状態として定義する。
【００１６】
ＲＲＣの観点では、端末機の状態をＲＲＣ＿Ｃｏｎｎｅｃｔｅｄ及びＲＲＣ＿Ｉｄｌｅ状態で管理する。ＲＲＣ＿Ｃｏｎｎｅｃｔｅｄは、基地局と端末機との間のＲＲＣ接続(ｃｏｎｎｅｃｔｉｏｎ）がある状態である。ＲＲＣ＿Ｃｏｎｎｅｃｔｅｄ状態において、基地局は端末機の移動性管理を担当し、このためにＲＲＣコンテキスト(ｃｏｎｔｅｘｔ)を蓄積して管理する。ＲＲＣ＿Ｉｄｌｅ状態は、基地局と端末機との間のＲＲＣ接続(ｃｏｎｎｅｃｔｉｏｎ）がない状態であって、ａＧＷ(ａｃｃｅｓｓ  Ｇａｔｅ  Ｗａｙ)は端末機の移動性管理を担当する。ＲＲＣ＿Ｉｄｌｅ状態の端末機は、ＲＲＣ設定(ｃｏｎｆｉｇｕｒａｔｉｏｎ)にともなうＤＲＸ(Ｄｉｓｃｏｎｔｉｎｕｏｕｓ  Ｒｅｃｅｐｔｉｏｎ)周期によって低電力消費の動作を実行する。
【００１７】
一方、ＲＲＣ＿Ｃｏｎｎｅｃｔｅｄ状態におけるＭＡＣ状態は、端末機と基地局との間に無線資源を占有する動作特性(ａｃｔｉｖｉｔｙ  ｆａｃｔｏｒ)によって、端末機の低電力消費の動作のために、ＭＡＣ＿Ａｃｔｉｖｅ状態とＭＡＣ＿Ｄｏｒｍａｎｔ状態とに区分して制御される。ＭＡＣ＿Ａｃｔｉｖｅ状態は、物理階層の上向きリンク(ｕｐｌｉｎｋ)同期を維持し、基地局と端末機との間にパケット情報の送受信が行われている状態である。ＭＡＣ＿Ｄｏｒｍａｎｔ状態は、ＭＡＣ＿Ａｃｔｉｖｅ状態で基地局と端末機との間にパケット情報の送受信を行わず、バッファは空の状態である。ＭＡＣ＿Ａｃｔｉｖｅ状態において、あらかじめ設定された所定の時間の間にパケットの送受信がなければ、ＭＡＣ＿Ｄｏｒｍａｎｔ状態に入る。ＭＡＣ＿Ｄｏｒｍａｎｔ状態では、スケジューラ(ｓｃｈｅｄｕｌｅｒ)によってＤＲＸ(Ｄｉｓｃｏｎｔｉｎｕｏｕｓ  Ｒｅｃｅｐｔｉｏｎ)/ＤＴＸ(Ｄｉｓｃｏｎｔｉｎｕｏｕｓ  Ｔｒａｎｓｍｉｓｓｉｏｎ)周期によって低電力消費の動作が実行され、基地局の制御によって物理階層の上向きリンク(ｕｐｌｉｎｋ)同期を維持しないこともある。
【００１８】
ダウンリンクとして伝送しなければならない情報の発生を知らせるページングは、ＤＲＸ(Ｄｉｓｃｏｎｔｉｎｕｏｕｓ  Ｒｅｃｅｐｔｉｏｎ)またはＤＲＸ/ＤＴＸ(Ｄｉｓｃｏｎｔｉｎｕｏｕｓ  Ｒｅｃｅｐｔｉｏｎ/Ｄｉｓｃｏｎｔｉｎｕｏｕｓ  Ｔｒａｎｓｍｉｓｓｉｏｎ)周期で低電力消費の動作を実行する端末機を対象として行われければならない点を考慮すると、ＬＴＥシステムのページングは、ＲＲＣ＿Ｉｄｌｅ状態及びＭＡＣ＿Ｄｏｒｍａｎｔ状態である端末に適用される。本発明は、ＲＲＣ＿Ｉｄｌｅ状態の端末機を対象とするページングであって、物理階層のチャネルであるＰＩＣＨを利用した方法、及びＰＩＣＨなしで適用する方法を提供する。
【００１９】
一方、パケット伝送システムでは、基地局内の端末機が無線資源を共有するため、任意の端末機または端末機グループに割り当てられた無線資源をアドレッシング(ａｄｄｒｅｓｓｉｎｇ)するためのスケジューリング情報が、基地局内の端末機が認知できるように伝送しなければならない。このために本発明は、物理階層の制御チャネルを用いてスケジューリング情報を伝送する方法を提供する。
【００２０】
図１は、本発明に係るページング情報伝送の過程に対する第１の実施例のフローチャートであり、図２は、前記第１の実施例に係るトランスポートチャネル及び物理チャネルの構成を示す例示図である。
【００２１】
本実施例は、ＲＲＣ＿Ｉｄｌｅ状態の端末機を対象とし、物理チャネルであるＰＩＣＨを利用してページング情報を伝送する。以下、図１及び図２を共に参照して、本実施例に係るページング情報の伝送過程を詳述する。
【００２２】
まず、基地局は、任意の時間に任意の端末機または端末機のグループに対するページング情報１が発生すると(Ｓ１１０)、発生したページング情報を用いてトランスポートチャネルにＰＣＨを構成する(Ｓ１２０)。
【００２３】
次に、スケジューラは、無線フレーム単位で構成される放送チャネル(ＢＣＨ;Ｂｒｏａｄｃａｓｔ  Ｃｈａｎｎｅｌ)情報、生成したＰＣＨ情報及び端末機に伝送するトラフィック情報をＴＴＩ単位でスケジューリングする(Ｓ１３０)。
【００２４】
次に、基地局は、ＲＲＣ＿Ｉｄｌｅ状態における端末機等の低電力消費の動作のためのＤＲＸ周期を考慮して、前記ページング情報が示す端末機または端末機グループに該当するＰＩＣＨ６を設定し、システム内の端末機をグループに分けて区分できるようＰＩＣＨ６を構成する(Ｓ１４０)。
【００２５】
次に、ＰＣＨをあらかじめ決まったＴPICHーPCH値（７）によって、該当するＴＴＩ内８に固定的な位置(ｅ．ｇ．ｔｉｍｅ  ｉｎｄｅｘ，  ｓｕｂ−ｃａｒｒｉｅｒ  ｉｎｄｅｘ)及び大きさ(ｓｉｚｅ）に割り当てられた物理階層の無線資源ブロックの位置９にマッピングし(Ｓ１５０)、あらかじめ設定された変調方式及びコーディング方式によって無線資源を変調してコーディングし、端末機に伝送する(Ｓ１６０)。ここで、ＴPICHーPCH値は、ＰＩＣＨからＰＣＨが伝送されるＴＴＩまでの時間差を知らせるパラメータであって、ＴＴＩの倍数で決められる。
【００２６】
本実施例では、ＰＣＨ伝送のための物理階層における無線資源ブロックの位置をＰＩＣＨグループに応じて区分し、グループ別に固定して割り当てる方法によって運用する。もし、いかなるページング情報も発生しなければ２、該当の無線フレームのトランスポートチャネルにＰＣＨチャネルは存在しない５。この場合にはＰＩＣＨも設定されない。したがって、ＰＣＨのために固定して割り当てられた物理階層の無線資源のブロック位置には、ＰＣＨのページング情報でない、ユーザデータの伝送のためのＤＬ−ＳＣＨ(Ｄｏｗｎ  Ｌｉｎｋ  Ｓｈａｒｅｄ  Ｃｈａｎｎｅｌ)情報が伝送される。
【００２７】
図３は、本発明に係るページング情報の伝送過程に対する第２の実施例のフローチャートであり、図４は、前記第２の実施例に係るトランスポートチャネル及び物理チャネルの構成を示す例示図である。以下、図３及び図４を共に参照して本実施例に係るページング情報の伝送過程を説明する。
【００２８】
まず、基地局は、任意の時間に任意の端末機または端末機グループに対するページング情報１が発生すると(Ｓ３１０)、発生したページング情報を用いてページングメッセージ（Ｐ−ＭＳＧ）で構成されたページングチャネル１０を生成する(Ｓ３２０)。
【００２９】
次に、スケジューラは、無線フレーム単位から構成される放送チャネル(ＢＣＨ;Ｂｒｏａｄｃａｓｔ  Ｃｈａｎｎｅｌ)情報、ページングメッセージ情報及び端末機に伝送するトラフィック情報をＴＴＩ単位でスケジューリングする(Ｓ３３０)。
【００３０】
次に、前記ページングメッセージを物理チャネルの無線資源１２に可変的に割り当てる(Ｓ３４０)。
【００３１】
次に、スケジューリング情報を生成し(Ｓ３５０)、物理階層の制御チャネルに割当て(Ｓ３６０)、あらかじめ設定された変調方式及びコーディング方式によって変調してコーディングし、端末機へ伝送する(Ｓ３７０)。
【００３２】
前記スケジューリング情報は、割り当てられた無線資源をアドレッシングするための最小限の情報であって、端末機スケジューリング識別子(ｉｄｅｎｔｉｆｉｅｒ)、割り当てられた無線資源ブロックの位置を示す無線資源の割り当て情報、変調(ｍｏｄｕｌａｔｉｏｎ)方式情報及びコーディング(ｃｏｄｉｎｇ)方式情報を含み、再伝送及び多重アンテナの適用などの動作のために付加的な情報を更に備え得る。
【００３３】
前記端末機スケジューリング識別子(ｉｄｅｎｔｉｆｉｅｒ)は、基地局のスケジューラと端末機との間で特定の端末機または端末機グループを区分するための識別子である。一方、図５に図示したように、本発明は、前記端末機スケジューリング識別子(ｉｄｅｎｔｉｆｉｅｒ)を構成する情報の一部をページング情報のためのグループ識別子で予約割当て運用する。前記グループ識別子は、任意の端末機を唯一区分するためのスケジューリング識別子(例えば、Ｃ−ＲＮＴＩ(Ｃｅｌｌ  Ｒａｄｉｏ  Ｎｅｔｗｏｒｋ  Ｔｅｍｐｏｒａｒｙ  Ｉｄｅｎｔｉｆｉｅｒ)）の一部を予約割り当てをして使用する識別子であって、任意の基地局は１つ以上のスケジューリング識別子を予約割り当てをして運用することができる。
【００３４】
一方、前記グループ識別子は、後述するダウンリンクの情報伝送のためのインディケーションのために利用できる。
【００３５】
前記無線資源の割り当て情報は、周波数領域と時間領域とに区分されるＯＦＤＭ方式の無線資源位置(または区間)を示すための情報である。前記変調(ｍｏｄｕｌａｔｉｏｎ)方式の情報は、ＬＴＥシステムにおいて適用する多数の変調方式のうち、いずれの変調方式が適用されたかを示す情報である。前記コーディング(ｃｏｄｉｎｇ)方式の情報はＬＴＥシステムにおいて適用する多数のコーディング方式のうち、いずれのコーディング方式が適用されたかを示す情報である。
【００３６】
前記本発明の第２の実施例によって、ＲＲＣ＿Ｉｄｌｅ状態の端末機を対象にＰＩＣＨなしでページングの手順を行うことができる。本実施例はページング情報が発生しない場合には、物理階層の制御チャネル情報にページングメッセージのためのスケジューリング情報なしで端末機のためのスケジューリング情報のみを伝送し、可容した物理階層の無線資源のすべてをデータ情報伝送のためのＤＬ−ＳＣＨでマッピングして使用することにより、無線資源の活用度を最適化することができる。また、発生したページング情報量によって物理階層の無線資源をフレキシブルに割り当てる方法によって、無線資源の活用度を最適化することができる。
【００３７】
端末機スケジューリング識別子の一部をグループ識別子で予約(ｒｅｓｅｒｖｅ)割り当てして用いる前記グループ識別子は、端末機の性能(ｃａｐａｂｉｌｉｔｙ)によって１つ以上を予約割り当てをすることができ、これをシステム放送チャネルを用いて放送し、端末機がネットワークに登録すると、グループ別に管理してネットワーク環境によって修正/更新によって管理する方法も運用できる。
【００３８】
図６は、本発明の第２の実施例によってスケジューリング識別情報が割り当てられた物理階層の制御チャネル及びページング情報が可変的に割り当てられた無線資源を示す例示図である。
【００３９】
前述した第２の実施例に係る過程を介して、図６に図示されたような無線資源が構成されて端末機へ送信される。前記無線資源を受信した端末機は物理階層の制御チャネル１１を検索し、基地局のスケジューラがセル内において、該当の端末機または端末機グループを区分するために付与したページング情報伝送を示すために予約割り当てをしたグループ識別子を認知すると、無線資源ブロックアドレッシング情報を用いて該当の無線資源ブロック１２に伝送されたページング情報を受信して復調する。すなわち、端末機は制御チャネルを検索し、ページング情報伝送のために基地局が伝送した制御チャネルのスケジューリング情報内に予約割り当てをしたグループ識別子の存在有無を確認することによって、自体または自体が属する端末機グループに対するページングメッセージの存在可否を認知できる。したがって、端末機は、制御チャネル内に自体または自体が属するグループを示すページングメッセージのためのグループ識別子がない場合には、ページングメッセージがないものと判断し、ＤＲＸ動作を続いて行い、グループ識別子がある場合には、ＤＲＸ動作を中止してグループ識別子を用いてアドレッシングした無線資源として基地局が伝送したページングメッセージを受信する。
【００４０】
この場合、ページングメッセージを伝送するブロックの変調及びコーディング方式は、システム情報を用いてセル全体に放送(ｂｒｏａｄｃａｓｔｉｎｇ)したり、前述したように物理階層の制御チャネルのスケジューリング情報を介して伝送することもできる。
【００４１】
一方、ＲＲＣ＿Ｃｏｎｎｅｃｔｅｄ状態において、端末機と基地局との間の無線資源を占有する動作特性(ａｃｔｉｖｉｔｙ  ｆａｃｔｏｒ)によってＭＡＣ観点から、低電力消費のための状態を制御する場合における端末機は、ＤＲＸ/ＤＴＸ周期に応じてダウンリンクの信号をモニタリング(ｍｏｎｉｔｏｒｉｎｇ)する区間と、低電力消費の動作のために睡眠（ｓｌｅｅｐ）する区間とに区分されて動作される。
【００４２】
このように、ＲＲＣ＿Ｃｏｎｎｅｃｔｅｄ状態である端末機がＤＲＸ/ＤＴＸ周期に応じてダウンリンク信号をモニタリングする低電力消費の動作を行う場合には、ダウンリンクへの情報伝送を始めるために、該当の端末機のモニタリング区間においてＲＲＣ＿Ｉｄｌｅ状態と類似したページングの手順が要求される。これをＲＲＣ＿Ｉｄｌｅ状態におけるページングと区別するために、インディケーション(ｉｎｄｉｃａｔｉｏｎ)と定義することとし、インディケーション情報は、ページング情報のように、基地局から端末機へのダウンリンク情報伝送の開始を知らせるための情報である。ただし、ＲＲＣ＿Ｉｄｌｅ状態では基地局のＲＲＣが制御するが、ＲＲＣ＿Ｃｏｎｎｅｃｔｅｄ状態ではスケジューラの機能と連係してＲＲＣまたはＭＡＣ階層で制御できる。
【００４３】
かかるＲＲＣ＿Ｃｏｎｎｅｃｔｅｄ状態におけるダウンリンク情報伝送のためのインディケーション(ｉｎｄｉｃａｔｉｏｎ)情報の伝送も、前述した実施例に係るページング情報の伝送方法をそのまま利用することができる。すなわち、前述した実施例で、ページング情報をダウンリンク情報伝送のためのインディケーション情報に代替することによって適用可能である。
【００４４】
更に具体的に説明すると、基地局のスケジューラは、設定したＤＲＸ/ＤＴＸ周期によって、物理階層の制御チャネルに伝送されるスケジューリング情報内にダウンリンク情報の伝送を知らせるためのインディケーション情報を受信する端末機または端末機グループを示す端末機スケジューリング識別子及び無線資源の割り当て情報を含んで伝送する。したがって、ＲＲＣ＿Ｃｏｎｎｅｃｔｅｄ状態において、端末機の動作特性によって低電力消費の動作を行っている端末機は、設定されたＤＲＸ/ＤＴＸ周期によってモニタリングする区間において、基地局から伝送する物理階層の制御チャネルを検索し、基地局のスケジューラがセル内で該当の端末機またはグループを区分するために付与した、インディケーションのために予約割り当てをしたグループの識別子を認知すると、無線資源の割り当て情報を用いて該当の無線資源ブロックに伝送されたインディケーションメッセージを受信して復調する。この場合に、インディケーションを伝送するブロックの変調及びコーディング方式をシステム情報を用いてセル全体に放送(ｂｒｏａｄｃａｓｔｉｎｇ)したり、物理階層の制御チャネルのスケジューリング情報を介して伝送する方法が可能である。
【００４５】
また、物理階層の制御チャネル情報の大きさを縮小することによって、制御情報の伝送にともなうオーバーヘッド(ｏｖｅｒ  ｈｅａｄ)を減少させるために、ダウンリンク情報インディケーションのために予約割り当てをしたグループの識別子のみを物理階層の制御チャネルに含んで運用することもできる。この場合、インディケーション情報のための物理チャネルの無線資源ブロック１２を該当のＴＴＩ内に固定して運用することが可能である。
【００４６】
ＲＲＣ＿Ｃｏｎｎｅｃｔｅｄ状態である端末機を対象にして、ダウンリンク情報の伝送を知らせるためにインディケーションメッセージを物理階層の制御チャネル及びＤＬ−ＳＣＨを介して伝送する前記第２の実施例に係る方法を適用すると、スケジューラ及びＭＡＣが制御するＲＲＣ＿Ｃｏｎｎｅｃｔｅｄ状態において端末機の動作特性が異なる場合であっても、同じ方法でＤＬ−ＳＣＨ及び物理階層の制御チャネルを利用することができる。
【００４７】
図７は、本発明によってページング情報発生に相応して物理階層の無線資源が可変的に割り当て運用される例を示す図面である。
【００４８】
同図に図示されたように、本発明はＲＲＣ＿Ｉｄｌｅ状態の端末機のためのページング情報またはＲＲＣ＿Ｃｏｎｎｅｃｔｅｄ状態の端末機のためのダウンリンクインディケーション情報が発生する場合１にのみ、物理階層の無線資源を占有１３するようになって、限定された無線資源を効率よく運用することができる。
【００４９】
前述したような本発明の方法は、プログラムとして具現されてコンピュータで読み込むことのできる形態で記録媒体(ＣＤ−ＲＯＭ、ＲＡＭ、ＲＯＭ、フロッピー（登録商標）ディスク、ハードディスク、光磁気ディスクなど)に貯蔵され得る。このような過程は、本発明が属する技術分野における通常の知識を有する者が容易に実施できるため、これ以上の詳細な説明はしないことにする。
【００５０】
以上で説明した本発明は、本発明が属する技術分野における通常の知識を有する者であれば、本発明の技術的な思想を逸脱しない範囲内で様々な置換、変形及び変更が可能であるため、前述した実施例及び添付された図面によって限定されるものではない。
【図面の簡単な説明】
【００５１】
【図１】本発明に係るページング情報の伝送過程に対する第１の実施例のフローチャートである。
【図２】本発明の第１の実施例に係るトランスポートチャネル及び物理チャネルの構成を示す例示図である。
【図３】本発明に係るページング情報の伝送過程に対する第２の実施例のフローチャートである。
【図４】本発明の第２の実施例に係るトランスポートチャネル及び物理チャネルの構成を示す例示図である。
【図５】本発明の一実施例によって端末機スケジューリング識別子の一部が割り当てられたグループ識別子を示す例示図である。
【図６】本発明の第２の実施例によってスケジューリング識別情報の割り当てられた物理階層の制御チャネル及びページング情報が可変的に割り当てられた無線資源を示す例示図である。
【図７】本発明によってページング情報発生に相応して物理階層の無線資源が可変的に割当て運用される例を示す図面である。
【図１】
0005386347.tif 000002
【図２】
0005386347.tif 000003
【図３】
0005386347.tif 000004
【図４】
0005386347.tif 000005
【図５】
0005386347.tif 000006
【図６】
0005386347.tif 000007
【図７】
0005386347.tif 000008